(57)【要約】【課題】  剥離ライナーを備えた貼付剤において、剥離ライナーを分割切線から剥がして折り返した際、つかみ片がもとに戻らないようにした貼付剤を提供する。【解決手段】  貼付剤１は、分割切線５を有し、その側方に折曲線７を有する。この折曲線７は、切れ目８と該切れ目８から分割切線５寄りに間隔をあけて形成された連結部９で構成され、該切れ目８を一辺とする舌片１０を区画形成するよう切れ目８と連結部９を結ぶノッチ線１１が設けられている。分割切線５からライナー４を剥がして折り曲げると、該切れ目８と該ノッチ線１０により区画された舌片１０の先端部分は、粘着剤層３方向に突出し、該粘着剤層３に接触する。【選択図】図３
2008259716.tif 000002
【特許請求の範囲】
【請求項１】
粘着剤層の表面を被覆保護する剥離ライナーを備えた貼付剤において、剥離ライナーは、該剥離ライナーを分割する分割切線と該分割切線と並行的に形成された折曲線を有し、該折曲線は断続的な切れ目と、該切れ目と並行的であって該切れ目よりも上記分割切線寄りに間隔をあけて形成された連結部と、該切れ目を一辺とする舌片を区画形成するよう該切れ目と該連結部を結んで切り込まれたノッチ線を含むことを特徴とする貼付剤。
【請求項２】
上記切れ目と上記連結部の間隔を０．２乃至５ｍｍに形成したことを特徴とする請求項１に記載の貼付剤。
【請求項３】
上記切れ目が上記折曲線に沿って複数箇所形成されている請求項１又は２に記載の貼付剤。
【請求項４】
上記連結部の長さを０．３乃至１．５ｍｍに形成したことを特徴とする請求項１乃至３のいずれかに記載の貼付剤。
【請求項５】
上記舌片において、上記折曲線に沿った部分の長さを３乃至５０ｍｍに形成したことを特徴とする請求項１乃至４のいずれかに記載の貼付剤。
【請求項６】
上記分割切線を直線又は波形形状に形成した請求項１乃至５のいずれかに記載の貼付剤。
【発明の詳細な説明】
【技術分野】
【０００１】
本発明は、粘着剤層を被覆保護する剥離ライナーを備えた貼付剤に関する。
【背景技術】
【０００２】
従来、薬剤を経皮的に投与したり、外傷部を被覆して保護したりする貼付剤において、柔軟性のある素材で形成された基材から剥離ライナーを剥がすのを容易にするため該ライナーの中央部に分割切線を形成したり、該分割切線で区分けされたライナー分割片を折り返しやすくするためミシン目を設けてつかみ片を形成するものが知られている（特許文献１参照）。しかし、一般的に剥離ライナーは、プラスチックシートやフィルム等の剛性及び弾性のある素材で形成されているので、上記ミシン目を折り返しても、つかみ片がもとに戻り、指先で持ちにくくなることがあった。
【特許文献１】実用新案登録第３０９３８０２号公報
【発明の開示】
【発明が解決しようとする課題】
【０００３】
本発明が解決しようとする課題は、上記のような剥離ライナーを備えた貼付剤において、剥離ライナーを分割切線から剥がして折り返した際、つかみ片がもとに戻らないようにした貼付剤を提供することである。
【課題を解決するための手段】
【０００４】
本発明によれば、粘着剤層の表面を被覆保護する剥離ライナーを備えた貼付剤において、剥離ライナーは、該剥離ライナーを分割する分割切線と該分割切線と並行的に形成された折曲線を有し、該折曲線は断続的な切れ目と、該切れ目と並行的であって該切れ目よりも上記分割切線寄りに間隔をあけて形成された連結部と、該切れ目を一辺とする舌片を区画形成するよう該切れ目と該連結部を結んで切り込まれたノッチ線を含むことを特徴とする貼付剤が提供され、上記課題が解決される。
【発明の効果】
【０００５】
本発明は、上記のように構成され、折曲線を切れ目と該切れ目から分割切線寄りに間隔をあけて形成された連結部で構成し、該切れ目を一辺とする舌片を区画形成するよう上記切れ目と上記連結部を結ぶノッチ線を設けたので、上記分割切線からライナーを剥がして上記折曲線で折り曲げると、上記舌片の先端部分は、粘着剤層方向に突出し、該粘着剤層に接触する。したがって、折り曲げた部分、すなわちつかみ片から手を離しても、該舌片が突っ掛かりとなって該つかみ片が簡単に戻ることはない。さらに、該舌片の端部が粘着剤層に粘着するから、上記舌片は確実に突っ掛かった状態を維持し、素材の弾性により該つかみ片がもとに戻ろうとしても、外方に開いて立ち上がった状態で確実に保持され、もとに戻ることがない。このようにして起立状態にある該つかみ片を摘んで外方に引っ張れば、より容易にかつ確実に剥離ライナーを剥がしつつ、貼付剤を患部に貼付することができる。
【発明を実施するための最良の形態】
【０００６】
図１は、本発明の一実施例を示し、貼付剤１は、柔軟性のある素材で形成した基材２の一面に薬剤を含み若しくは含まない粘着剤層３を設け、その表面を被覆保護する剥離ライナー４を備えている。上記基材２としては、プラスチックフィルム、不織布、編布、綿布、和紙、これらのラミネート体等を用いることができ、例えば厚さ約２００〜８００μｍ程度のポリエステル編布、厚さ約３００〜５００μｍ程度のウレタン不織布、厚さ約２０〜５０μｍ程度のウレタンフィルムその他の柔軟性のある素材で形成できるが、図に示す実施例では、厚さ約５００μｍのポリエステル編布で形成されている。
粘着剤層３は、ゴム系、アクリル系、シリコン系、ポリビニルアルコール系等の粘着剤で形成され、適宜に経皮投与性の薬剤を含有させることができる。図示のものは、厚さ約１５０μｍ程度のスチレン・イソプレン・スチレン共重合体（ＳＩＳ）粘着剤で構成されている。なお、図に示す実施例では、分割切線を１本設けて剥離ライナーを２分割するようにしてあるが、分割切線の数は複数本設けることができる。また、分割切線の形状は波形形状に限られず、直線その他適宜の形状に形成することができる。
また、粘着剤層の表面を覆う剥離ライナー４は、適度の剛性及び弾性を有するプラスチックシート、紙等に剥離処理をしたもので形成され、例えば、厚さ約２５〜２００μｍ程度の剥離処理したプラスチックシート等を使用することができ、図に示す実施例では、表面をシリコン処理した厚さ約７５μｍのポリエステル（ＰＥＴ）フィルムで形成されている。該剥離ライナー４の中央部には、波形形状の分割切線５が設けられており、該分割切線５により２つのライナー分割片６に分割可能に形成されている。
【０００７】
上記ライナー分割片６には、それぞれ上記分割切線５から一定間隔をあけて、該分割切線６と並行的に設けた折曲線７が形成されている。折曲線７は、断続的に複数切り込まれた切れ目８と、切れ目８と並行的であって切れ目８よりも上記分割切線５寄りに間隔をあけて形成された連結部９を有する。そして、折曲線７で折り曲げた際、該切れ目８を一辺とする舌片１０を区画形成するよう該切れ目８と該連結部９を結んで切り込まれたノッチ線１１を形成してある。該ライナー分割片６を折曲線７に沿って折り返した部分は、該ライナー分割片６の端部を摘んで剥がしやすくするためのつかみ片１２となる。
【０００８】
分割切線５と折曲線７の間隔は、貼付剤の大きさに応じて適宜設定することができるが、剥離操作の際ライナー分割片６に摘みやすい大きさのつかみ片１２を形成するため、通例、略矩形状の該剥離ライナー４の長辺に対して約６分の１乃至３分の１程度の長さにするのが好ましく、約５分の１乃至４分の１の長さにするのが特に好ましい。なお、図に示す実施例では、ライナー分割片２枚共に折曲線が形成されているが、図５に示すように、一方のライナー分割片のみに折曲線を形成してもよい。
【０００９】
連結部９の長さは、ライナー分割片６を粘着剤層３から剥離して折り曲げた際、連結部９部分自体の剛性により舌片１０がもとに戻されたり、つかみ片１２を摘んで引っ張ったとき連結部分９から簡単に切断されないように形成しており、通例、約０．３乃至１．５ｍｍに形成するのが望ましい。該つかみ片１２がもとに戻らないよう粘着部３に対して突っ掛かりとなる舌片１０を形成するため、上記切れ目８と上記連結部９の間隔１３は、約０．２乃至５ｍｍとなるように、好ましくは約０．４乃至１．０ｍｍとなるように形成するのが望ましい。
【００１０】
切れ目８及びノッチ線１１の形状は、ライナー分割片６を剥がして折り曲げた際粘着剤層３方向に突出する舌片１０を形成できるようなものであればよい。例えば、切れ目を直線形状に形成しノッチ線の形状を弧状に形成したり（図６）、切れ目に対してほぼ直角に延びる直線形状のノッチ線を形成してもよい（図７）。また、切れ目とノッチ線は必ずしも明瞭に区別される必要はなく、切れ目及びノッチ線を連続的な一体形状にしてもよい。例えば、全体が一連の円弧を描く弧状（図８）や、切れ目とノッチ線が逆方向に湾曲する略弧状（図９）にしたり、切れ目を鋭角状に屈曲形成してノッチ線を一連に形成した略山形状（図１０）等の適宜形状に形成することができる。なお、山形状に形成した場合、山形状の頂点を結ぶ仮想線が上記分割切線と並行的になるように位置させればよい。
【００１１】
図２及び図３を参照して上記貼付剤の使用状態を説明する。
まず、貼付剤１（図３（Ａ））を分割切線５で折り曲げると、一方のライナー分割片６の波形形状の端部が剥がれるので、図３（Ｂ）に示すように、該端部を摘んで外方につかみ片１２を剥がしていくと、折曲線７には、切れ目８が入っているため容易に折れ曲がる。舌片１０は、切れ目８とノッチ線１１で区画形成されているから、舌片１０の先端は粘着剤層３方向に突出し、該先端部が粘着剤層３に粘着する（図３（Ｃ））。よって、つかみ片１２は外方に開いて立ち上がった状態で保持される。
【００１２】
次いで、図４に示すように、粘着剤層３の露出部１４を手で患部１５に貼付した後、上記のように立ち上がった状態のつかみ片１２の端部を指で摘んで外方に引っ張ると、ライナー分割片６を剥がしつつ、残りの粘着剤層部分を貼付することができる。
【図面の簡単な説明】
【００１３】
【図１】本発明の貼付剤の一実施例を示す平面図である。
【図２】図１に示す貼付剤の使用状態を説明する一部の断面斜視図である。
【図３】使用状態を示し、（Ａ）は剥離ライナーを剥離する前の状態の説明図、（Ｂ）は分割切線からライナー分割片を剥がし始めた状態の説明図、（Ｃ）はつまみ片を折り返した状態の説明図である。
【図４】貼り付ける状態を示した説明図である。
【図５】他の実施例を示す平面図である。
【図６】切れ目及びノッチ線の形状の他の実施例を示す説明図である。
【図７】切れ目及びノッチ線の形状の他の実施例を示す説明図である。
【図８】切れ目及びノッチ線の形状の他の実施例を示す説明図である。
【図９】切れ目及びノッチ線の形状の他の実施例を示す説明図である。
【図１０】切れ目及びノッチ線の形状の他の実施例を示す説明図である。
【符号の説明】
【００１４】
１  貼付剤
２  基材
３  粘着剤層
４  剥離ライナー
５  分割切線
６  ライナー分割片
７  折曲線
８  切れ目
９  連結部
１０  舌片
１１  ノッチ線
１２  つかみ片
１３  切れ目と連結部の間隔
１４  粘着剤層の露出部
１５  患部
【図１】
2008259716.tif 000003
【図２】
2008259716.tif 000004
【図３】
2008259716.tif 000005
【図４】
2008259716.tif 000006
【図５】
2008259716.tif 000007
【図６】
2008259716.tif 000008
【図７】
2008259716.tif 000009
【図８】
2008259716.tif 000010
【図９】
2008259716.tif 000011
【図１０】
2008259716.tif 000012